【手続補正書】
【提出日】平成30年3月15日(2018.3.15)
【手続補正１】
【補正対象書類名】明細書
【補正対象項目名】発明の名称
【補正方法】変更
【補正の内容】
【発明の名称】医用画像診断支援システム、及びその制御方法、並びに情報処理装置、その制御方法、及びプログラム
【手続補正２】
【補正対象書類名】明細書
【補正対象項目名】０００１
【補正方法】変更
【補正の内容】
【０００１】
本発明は、検査画像に対する読影の判定結果を示す判定区分の入力を支援することの可能な医用画像診断支援システム、及びその制御方法、並びに情報処理装置、その制御方法、及びプログラムに関する。
【手続補正３】
【補正対象書類名】明細書
【補正対象項目名】００１２
【補正方法】変更
【補正の内容】
【００１２】
上記の目的を達成するために、本発明の医用画像診断支援システムは、医用画像の読影結果を示す読影レポートの作成を支援する医用画像診断支援システムであって、医用画像に対する所見に関する情報の入力と、読影の判定結果を示す複数の判定区分から１の判定区分の入力を受け付ける入力受付手段と、前記複数の判定区分のうち、前記入力受付手段で入力を受け付けた前記所見に関する情報に対応する判定区分を、前記複数の判定区分における他の判定区分と識別可能な態様で表示するように制御する表示制御手段を備えることを特徴とする。
【手続補正４】
【補正対象書類名】特許請求の範囲
【補正対象項目名】全文
【補正方法】変更
【補正の内容】
【特許請求の範囲】
【請求項１】
医用画像の読影結果を示す読影レポートの作成を支援する医用画像診断支援システムであって、
医用画像に対する所見に関する情報の入力と、読影の判定結果を示す複数の判定区分から１の判定区分の入力を受け付ける入力受付手段と、
前記複数の判定区分のうち、前記入力受付手段で入力を受け付けた前記所見に関する情報に対応する判定区分を、前記複数の判定区分における他の判定区分と識別可能な態様で表示するように制御する表示制御手段を備えることを特徴とする医用画像診断支援システム。
【請求項２】
読影の判定結果を示す判定区分であって、所見に関する情報に対応する１または複数の判定区分を記憶する記憶手段を更に備え、
前記入力受付手段は、入力を受け付けた前記所見に関する情報に対応する、前記記憶手段に記憶された１または複数の判定区分に対する入力を受け付けることを特徴とする請求項１に記載の医用画像診断支援システム。
【請求項３】
前記表示制御手段は、前記入力受付手段で入力を受け付けた前記所見に関する情報に対応する、前記記憶手段に記憶された１または複数の判定区分を識別可能に表示することを特徴とする請求項２に記載の医用画像診断支援システム。
【請求項４】
前記表示制御手段は、前記入力受付手段で入力を受け付けた前記所見に関する情報に対応する、前記記憶手段に記憶された１または複数の判定区分を表示させるとともに、前記入力受付手段で入力を受け付けた前記所見に関する情報に対応しない１または複数の判定区分を非表示にすることを特徴とする請求項３に記載の医用画像診断支援システム。
【請求項５】
前記入力受付手段は、部位名称の入力を更に受け付け可能であり、
前記表示制御手段は、前記入力受付手段で入力を受け付けた前記部位名称に対応する前記所見に関する情報を表示させるとともに、前記入力受付手段で入力を受け付けた前記部位名称に対応しない前記所見に関する情報を非表示にすることを特徴とする請求項３または４に記載の医用画像診断支援システム。
【請求項６】
前記入力受付手段は、所見の入力欄を追加するための入力を更に受け付け可能であり、
前記表示制御手段は、前記入力受付手段により所見の入力欄を追加するための入力を受け付けた場合に、複数の所見と該複数の所見に対応する判定区分を入力可能な画面を表示することを特徴とする請求項１乃至５のいずれか１項に記載の医用画像診断支援システム。
【請求項７】
前記入力受付手段により、前記表示制御手段に表示された前記複数の所見と該複数の所見に対応する判定区分の入力を受け付けた場合に、複数の判定区分のうちより悪い判定結果を示す判定区分を総合判定結果として管理する読影レポート管理手段を更に備えることを特徴とする請求項６に記載の医用画像診断支援システム。
【請求項８】
前記表示制御手段は、医用画像に対する所見に関する情報と前記判定区分とを含むダイアログと、前記医用画像とを含む画面を表示することを特徴とする請求項１乃至７のいずれか１項に記載の医用画像診断支援システム。
【請求項９】
前記表示制御手段は、前記入力受付手段により医用画像に対する所見に関する情報の入力を受け付けた後に、前記複数の判定区分のうち前記入力受付手段で入力を受け付けた前記所見に関する情報に対応する前記判定区分を、他の判定区分と識別可能な態様で表示するように制御することを特徴とする請求項１乃至８のいずれか１項に記載の医用画像診断支援システム。
【請求項１０】
前記所見に関する情報は、医用画像に含まれる異常な態様を示す所見名称を示す情報を含むことを特徴とする請求項１乃至９のいずれか１項に記載の医用画像診断支援システム。
【請求項１１】
前記判定区分は、読影の総合的な判定結果を示す情報であることを特徴とする請求項１乃至１０のいずれか１項に記載の医用画像診断支援システム。
【請求項１２】
医用画像の読影結果を示す読影レポートの作成を支援する医用画像診断支援システムの制御方法であって、
医用画像に対する所見に関する情報の入力と、読影の判定結果を示す複数の判定区分から１の判定区分の入力を受け付ける入力受付工程と、
前記複数の判定区分のうち、前記入力受付工程で入力を受け付けた前記所見に関する情報に対応する判定区分を、前記複数の判定区分における他の判定区分と識別可能な態様で表示するように制御する表示制御工程を備えることを特徴とする医用画像診断支援システムの制御方法。
【請求項１３】
医用画像の読影結果を示す読影レポートの作成を支援する情報処理装置であって、
医用画像に対する所見に関する情報の入力と、読影の判定結果を示す複数の判定区分から１の判定区分の入力を受け付ける入力受付手段と、
前記複数の判定区分のうち、前記入力受付手段で入力を受け付けた前記所見に関する情報に対応する判定区分を、前記複数の判定区分における他の判定区分と識別可能な態様で表示するように制御する表示制御手段を備えることを特徴とする情報処理装置。
【請求項１４】
医用画像の読影結果を示す読影レポートの作成を支援する情報処理装置の制御方法であって、
医用画像に対する所見に関する情報の入力と、読影の判定結果を示す複数の判定区分から１の判定区分の入力を受け付ける入力受付工程と、
前記複数の判定区分のうち、前記入力受付工程で入力を受け付けた前記所見に関する情報に対応する判定区分を、前記複数の判定区分における他の判定区分と識別可能な態様で表示するように制御する表示制御工程を備えることを特徴とする情報処理装置の制御方法。
【請求項１５】
医用画像の読影結果を示す読影レポートの作成を支援する情報処理装置上で実行可能なプログラムであって、
情報処理装置を、
医用画像に対する所見に関する情報の入力と、読影の判定結果を示す複数の判定区分から１の判定区分の入力を受け付ける入力受付手段と、
前記複数の判定区分のうち、前記入力受付手段で入力を受け付けた前記所見に関する情報に対応する判定区分を、前記複数の判定区分における他の判定区分と識別可能な態様で表示するように制御する表示制御手段
として機能させるためのプログラム。